(57)【要約】      （修正有）【課題】強力な水流を浴槽内に発生させることで、メタボリックシンドロームの改善や健康増進に役立つ水流発生装置付浴槽を提供する。【解決手段】上底板１２と下底板１４を有し、前記上底板と前記下底板の間に空間を設けた二重底を有する浴槽本体１８と、水平方向に２個並列されたスクリュー２０ｂ等を有し、前記スクリューの相対向する側が下側に向って回転するようにされ、前記上底板の上方において前記浴槽本体の長手方向基端面に設けられた水流発生装置２２と、前記浴槽内の水温を調整するための水温調整装置２６と、を含むようにした。【選択図】図３
0003158715.tif 000002
【実用新案登録請求の範囲】
【請求項１】
上底板と下底板を有し、前記上底板と前記下底板の間に空間を設けた二重底を有する浴槽本体と、
水平方向に２個並列されたスクリューを有し、前記スクリューの相対向する側が下側に向って回転するようにされ、前記上底板の上方において前記浴槽本体の長手方向基端面に設けられた水流発生装置と、
前記浴槽内の水温を調整するための水温調整装置と、
を含み、
前記上底板が、多数の孔を有する多数孔領域を有し、前記多数孔領域が前記下底板の面積の２分の１以下とされ、かつ該孔の前記多数孔領域に対する開口率が少なくとも３０％とされてなり、前記水流発生装置において発生された水流が前記上底板の多数の孔を通って前記上底板と前記下底板の間の空間へと流れるようにされてなることを特徴とする水流発生装置付浴槽。
【請求項２】
前記水温が、体温よりも３℃〜５℃低いことを特徴とする請求項１記載の水流発生装置付浴槽。
【請求項３】
請求項１又は２記載の水流発生装置付浴槽を用いたコイン式水流発生装置付浴槽であり、コイン投入信号により給水を開始する給水手段と、前記浴槽本体の満水を感知する満水センサー手段と、満水になると前記スクリューを回転させる駆動モータと、所定時間の経過により駆動モータを停止させる駆動モータ停止手段と、浴槽内の人の不在を検知する人感センサー手段と、人感センサー手段により浴槽内の人の不在を感知すると浴槽内の排水を開始する排水手段と、排水完了を検知するセンサー手段と、を有することを特徴とするコイン式水流発生装置付浴槽。
【考案の詳細な説明】
【技術分野】
【０００１】
本考案は、浴槽内に水流を発生させることでマッサージ効果が期待できる水流発生装置付浴槽に関する。
【背景技術】
【０００２】
従来、浴槽内に水流を発生させる様々なタイプのジェットバスなどが知られている（例えば特許文献１参照）。
【０００３】
本考案者らは、水流の循環の仕方や水温を調節することで、メタボリックシンドロームの改善や健康増進に役立つことを見出し、本考案を完成させた。
【先行技術文献】
【特許文献】
【０００４】
【特許文献１】特開２０００−１４００５６号公報
【考案の開示】
【考案が解決しようとする課題】
【０００５】
本考案は、強力な水流を浴槽内に発生させることで、メタボリックシンドロームの改善や健康増進に役立つ水流発生装置付浴槽を提供することを目的とする。
【課題を解決するための手段】
【０００６】
上記課題を解決するために、本考案の水流発生装置付浴槽は、
上底板と下底板を有し、前記上底板と前記下底板の間に空間を設けた二重底を有する浴槽本体と、
水平方向に２個並列されたスクリューを有し、前記スクリューの相対向する側が下側に向って回転するようにされ、前記上底板の上方において前記浴槽本体の長手方向基端面に設けられた水流発生装置と、
前記浴槽内の水温を調整するための水温調整装置と、
を含み、
前記上底板が、多数の孔を有する多数孔領域を有し、前記多数孔領域が前記下底板の面積の２分の１以下とされ、かつ該孔の前記多数孔領域に対する開口率が少なくとも３０％とされてなり、前記水流発生装置において発生された水流が前記上底板の多数孔を通って前記上底板と前記下底板の間の空間へと流れるようにされてなることを特徴とする。
【０００７】
前記孔の前記多数孔領域に対する開口率が少なくとも３０％とされていればよく、上限に特別の限定はないが、強度などの点から、開口率は７０％程度までとするのが好ましい。前記上底板の多数孔の数としては、２個〜２００個程度ぐらいとすることができる。前記孔の前記多数孔領域に対する開口率が少なくとも３０％となるように、孔の大きさや数を適宜設定すればよい。
【０００８】
前記水温としては、体温よりも３℃〜５℃低いことが好ましい。
【０００９】
また、前記水流発生装置付浴槽を用いてコイン式水流発生装置付浴槽とすることもできる。コイン式水流発生装置付浴槽としては、前記水流発生装置付浴槽に加えて、コイン投入信号により給水を開始する給水手段と、前記浴槽本体の満水を感知する満水センサー手段と、満水になると前記スクリューを回転させる駆動モータと、所定時間の経過により駆動モータを停止させる駆動モータ停止手段と、浴槽内の人の不在を検知する人感センサー手段と、人感センサー手段により浴槽内の人の不在を感知すると浴槽内の排水を開始する排水手段と、排水完了を検知するセンサー手段と、を有することを特徴とする。
【考案の効果】
【００１０】
本考案によれば、メタボリックシンドロームの改善や健康増進に役立つ水流発生装置付浴槽を提供できるという著大な効果を奏する。
【図面の簡単な説明】
【００１１】
【図１】図１は本考案の水流発生装置付浴槽の一つの実施の形態を示す正面斜視図である。
【図２】図２は図１の水流発生装置付浴槽の背面斜視図である。
【図３】図３は図１の水流発生装置付浴槽の側面断面図である。
【図４】図４は図１の水流発生装置付浴槽の平面図である。
【考案を実施するための最良の形態】
【００１２】
以下に本考案の実施の形態を添付図面に基づいて説明するが、本考案の技術思想から逸脱しない限りこれらの実施の形態について種々の変更又は変形が可能なことは言うまでもない。
【００１３】
図において、符号１０は本考案の水流発生装置付浴槽を示す。水流発生装置付浴槽１０は、上底板１２と下底板１４を有し、前記上底板１２と前記下底板１４の間に空間１６を設けた二重底を有する浴槽本体１８と、水平方向に２個並列されたスクリュー２０ａ，２０ｂを有し、前記スクリュー２０ａ，２０ｂの相対向する側が下側に向って回転するようにされ、前記上底板１２の上方において前記浴槽本体１８の長手方向基端面に設けられた水流発生装置２２と、前記浴槽内の水温を調整するための水温調整装置２６と、を含んでいる。
【００１４】
そして、前記上底板１２が、多数孔２４を有する多数孔領域Ａを有し、前記多数孔領域Ａが前記下底板１４の面積の２分の１以下とされ、かつ該孔２４の前記多数孔領域Ａに対する開口率が少なくとも３０％とされ、前記水流発生装置２２において発生された水流が前記上底板１２の多数孔２４を通って前記上底板１２と前記下底板１４の間の空間１６へと流れるように構成されている。Ｆは床面を示す。
【００１５】
また、スクリュー２０ａ，２０ｂの前面には、保護板３６が取り付けられている。３８はスクリュー２０ａ，２０ｂを駆動するための駆動モータである。４０はハッチを示す。
【００１６】
図４の多数孔領域Ａを設ける領域は、水流発生装置２２が設けられた側と反対側とすれば水流が還流し易くなるので好ましい。
【００１７】
また、前記水温としては、体温よりも３℃〜５℃低くなるように設定されている。体温としては、人間の平均体温を基準にすればよい。例えば、平均体温が３７℃であれば、それよりも３℃〜５℃低い温度（３２℃〜３４℃）を水温調整装置２６で設定すれば自動で水温調整が行われるように構成されている。水温調整装置２６として、公知の温水器が使用できる。
【００１８】
図４において、２８は給水管、３０は排水管を示す。排水は、モータＭによって排水タンク３２へと送られ、セラミック付きフィルター３４を介して水温調整装置２６へと送られる。水温調整装置２６は温水器であり、給水タンクでもある。
【００１９】
このようにして、水流発生装置２２によって発生された水流が前記上底板１２の多数孔２４を通って前記上底板１２と前記下底板１４の間の空間１６へと流れるように構成されている。
【００２０】
水流発生装置付浴槽１０に入り、体温よりも３℃〜５℃低い温度に設定された水流にあたることで、メタボリックシンドロームの改善や健康増進に役立つことが期待できる。
【００２１】
水流発生装置付浴槽１０を用い、１００円などのコインを投入することで運転が開始するようにしたコイン式水流発生装置付浴槽の一例を下記に示す。
【００２２】
コイン式水流発生装置付浴槽としては、前記水流発生装置付浴槽１０に加えて、コイン投入信号により給水を開始する給水手段と、前記浴槽本体の満水を感知する満水センサー手段と、満水になると前記スクリューを回転させる駆動モータと、所定時間の経過により駆動モータを停止させる駆動モータ停止手段と、浴槽内の人の不在を検知する人感センサー手段と、人感センサー手段により浴槽内の人の不在を感知すると浴槽内の排水を開始する排水手段と、排水完了を検知するセンサー手段と、を備えるようにすればよい。
【００２３】
コイン投入信号により給水を開始する給水手段としては、公知のコイン式シャワーと同様に、センサー手段を設け、コイン投入信号を検知して給水管２８からの給水を開始するようにすればよい。
【００２４】
前記浴槽本体の満水を感知する満水センサー手段としては、公知の家庭用浴槽の自動温水装置のように、所定量の温水が給水されるようにすればよい。
【００２５】
満水になると前記スクリュー２０ａ，２０ｂが駆動モータ３８で回転されるようにするには、例えば、上述のように所定量の温水が浴槽内に給水されると、それを満水とみなして駆動モータ３８が駆動するようにすればよい。
【００２６】
所定時間の経過により駆動モータを停止させる駆動モータ停止手段としては、公知のタイマー手段を用いればよい。
【００２７】
浴槽内の人の不在を検知する人感センサー手段としては、公知の人感センサー手段を用いればよい。
【００２８】
排水完了を検知するセンサー手段としては、浴槽本体１８の底部にセンサー手段を設けるようにすればよい。これらセンサー手段としては、公知のものを適宜使用できる。
【００２９】
次に、コイン式水流発生装置付浴槽の動作の一例を下記に示す。
【００３０】
＜待機＞
水流発生装置付浴槽１０には、水のない状態で待機する。
＜コイン投入→給水開始＞
ポンプが動いて給水管２８の自動弁が開いて水流発生装置付浴槽１０に給水が開始される。
＜給水開始→満水停止＞
給水が開始され、水流発生装置付浴槽１０が満水になるとセンサー（図示省略）により自動弁が閉じられる。
＜満水後→スタート＞
満水になると、駆動モータ３８によりスクリュー２０ａ，２０ｂが回転し、水流を発生させる。
＜所定時間の経過→モータ停止＞
所定時間（例えば３０分）の経過により駆動モータ３８が停止するように予め設定しておく。
＜モータ停止１０秒→排水開始＞
お客様の退席をセンサーが感知し、排水ポンプが回り排水管３０から排水が開始される。
＜排水完了→スタンバイ＞
排水完了をセンサーで検知したら、次のコイン投入信号があるまで、上述した待機状態に戻る。
【００３１】
このような構成とすることで、お客様が自分でコインを投入して好きな時に入浴できる水流発生装置付浴槽が実現される。
【実施例】
【００３２】
次に、水流発生装置付浴槽１０を実際に使用し、血液中の中性脂肪の値を測定した例を次に示す。
【００３３】
まず、水流発生装置付浴槽１０に入る前に体温計で実験者の体温を測り、前記体温から３℃低くなるように水温調整装置２６で水温を３４℃に調節した。水流発生装置付浴槽１０を使用する前に測定した血液中の中性脂肪の値は３２６ｍｇ／ｄｌであった。
【００３４】
３４℃に調節し、１日１時間で１５日間、水流発生装置付浴槽１０に入って水流発生装置２２からの水流を浴びた。水流は秒速３．８ｍ×６０秒×６０分＝［時速］１３，６８０ｍとした。水流発生装置２２から発生するスパイラル水流によるフラッタリング現象が１秒間に５回以上、１時間では１８，０００回のマッサージ効果があり、筋肉がついてウエストが引き締まる効果も期待できる。
【００３５】
上記のように１５日間使用した後、血液中の中性脂肪の値は１４６ｍｇ／ｄｌであった。１５日で血液中の中性脂肪の値は１８０ｍｇ／ｄｌ減少したことになる。
【００３６】
水流発生装置２２から発生するスパイラル水流によるもみだしマッサージ効果と体温よりも低い水温に設定したことにより、体内の脂肪燃焼効率が上昇し、結果として中性脂肪の値の減少につながったと考えられる。故に、本考案に係る水流発生装置付浴槽によれば、メタボリックシンドロームの改善や健康増進に役立つことが期待できる。
【符号の説明】
【００３７】
１０：水流発生装置付浴槽、１２：上底板、１４：下底板、１６：空間、１８：浴槽本体、２０ａ，２０ｂ：スクリュー、２２：水流発生装置、２４：孔、２６：水温調整装置、２８：給水管、３０：排水管、３２：排水タンク、３４：フィルター、３６：保護板、３８：駆動モータ、４０：ハッチ、Ａ：多数孔領域、Ｆ：床面、Ｍ：モータ。
【図１】
0003158715.tif 000003
【図２】
0003158715.tif 000004
【図３】
0003158715.tif 000005
【図４】
0003158715.tif 000006